(57)【要約】【課題】この発明はリクライニング機能だけでなく、収納機能を備えることができるようにしたリクライニング式ベッド装置提供することにある。【解決手段】長手方向一端にヘッドボード３が設けられたベッドフレーム１と、ベッドフレームのヘッドボード側の一端部に設けられた床板ユニット７と、ベッドフレームのヘッドボードと反対側の他端部に設けられた収納ユニット８とを具備し、床板ユニットは、上記ベッドフレームに着脱可能に係合保持されるユニットフレーム１１と、ユニットフレームのヘッドボードと反対側に位置する一端部に基端が回動可能に設けられた可動床板３１と、ユニットフレームに設けられ上記可動床板を起伏駆動する駆動機構２４とから構成され、収納ユニットは、一側面が開口するとともに、可動床板が倒伏した状態において、可動床板の上面とほぼ同じ高さになる上面を有する箱状体３５と、箱状体に出し入れ可能に収容された収納ケース４８とから構成されている。【選択図】      図１
2006043352.tif 000002
【特許請求の範囲】
【請求項１】
長手方向一端にヘッドボードが設けられたベッドフレームと、
このベッドフレームの上記ヘッドボード側の一端部に設けられた床板ユニットと、
上記ベッドフレームの上記ヘッドボードと反対側の他端部に設けられた収納ユニットとを具備し、
上記床板ユニットは、上記ベッドフレームに着脱可能に係合保持されるユニットフレームと、このユニットフレームの上記ヘッドボードと反対側に位置する一端部に基端が回動可能に設けられた可動床板と、上記ユニットフレームに設けられ上記可動床板を起伏駆動する駆動機構とから構成され、
上記収納ユニットは、一側面が開口するとともに、上記可動床板が倒伏した状態において、この可動床板の上面とほぼ同じ高さになる上面を有する箱状体と、この箱状体に出し入れ可能に収容された収納ケースとから構成されている
ことを特徴とするリクライニング式ベッド装置。
【請求項２】
上記収納ユニットは、上記箱状体に搬送体が出し入れ可能に設けられ、この搬送体に複数の上記収納ケースが上記搬送体の出し入れ方向に対して交差する方向に並んで載置されることを特徴とする請求項１記載のリクライニング式ベッド装置。
【請求項３】
上記ベッドフレームは所定間隔で平行に離間対向した一対の側板を有し、これら側板の内面には受け部が設けられ、上記床板ユニットのユニットフレームは幅方向両端に上記受け部に係合する係合部材を有し、
上記受け部に係合した上記係合部材は、保持具によって上記受け部から浮き上るのが阻止されることを特徴とする請求項１記載のリクライニング式ベッド装置。
【発明の詳細な説明】
【技術分野】
【０００１】
この発明は利用者の上半身を起こすことができるリクライニング式ベッド装置に関する。
【背景技術】
【０００２】
一般に、リクライニング式ベッド装置は矩形枠状のベッドフレームを有し、このベッドフレームには上面にマットレスが載置される床板が設けられる。床板は複数に分割され、そのうちの少なくとも利用者の上半身に対応する部分の床板を駆動機構によって起伏駆動できるようにしている。それによって、マットレス上に仰臥した利用者は上半身を起こし、その姿勢を楽に維持することができる。
【０００３】
ところで、リクライニング式でない、通常のベッド装置を購入した消費者はそのベッド装置をリクライニング式に変更したいことがある。しかしながら、従来ではそのような場合、ベッド装置全体を買い換えなければならないという不都合があった。
【０００４】
そこで、最近では、上記床板を複数に分割して複数の床板ユニットとし、その床板ユニットの１つにリクライニング機能を持たせるようにする。そして、消費者は通常のベッド装置をリクライニング式に変更したい場合には、リクライニング機能を備えた床板ユニットを購入し、それを一部の床板と交換してベッドフレームに載置することで、リクライニング式ベッド装置に変更できるようにしている。
【発明の開示】
【発明が解決しようとする課題】
【０００５】
床板を複数の床板ユニットとすれば、消費者は通常のベッド装置を必要に応じてリクライニング式ベッド装置に変更できるから、非常に便利である。しかしながら、従来のリクライニング式ベッド装置はベッドフレームを単に床板ユニットを載置するためだけに利用している。そのため、最近ではリクライニング式ベッド装置の付加価値を高めることが要望されている。
【０００６】
この発明は、リクライニング機能の他に、衣類等を収納する収納機能を持たせることで、付加価値の向上を図るようにしたリクライニング式ベッド装置を提供することにある。
【課題を解決するための手段】
【０００７】
この発明は、長手方向一端にヘッドボードが設けられたベッドフレームと、
このベッドフレームの上記ヘッドボード側の一端部に設けられた床板ユニットと、
上記ベッドフレームの上記ヘッドボードと反対側の他端部に設けられた収納ユニットとを具備し、
上記床板ユニットは、上記ベッドフレームに着脱可能に係合保持されるユニットフレームと、このユニットフレームの上記ヘッドボードと反対側に位置する一端部に基端が回動可能に設けられた可動床板と、上記ユニットフレームに設けられ上記可動床板を起伏駆動する駆動機構とから構成され、
上記収納ユニットは、一側面が開口するとともに、上記可動床板が倒伏した状態において、この可動床板の上面とほぼ同じ高さになる上面を有する箱状体と、この箱状体に出し入れ可能に収容された収納ケースとから構成されている
ことを特徴とするリクライニング式ベッド装置にある。
【０００８】
上記収納ユニットは、上記箱状体に搬送体が出し入れ可能に設けられ、この搬送体に複数の上記収納ケースが上記搬送体の出し入れ方向に対して交差する方向に並んで載置されることが好ましい。
【０００９】
上記ベッドフレームは所定間隔で平行に離間対向した一対の側板を有し、これら側板の内面には受け部が設けられ、上記床板ユニットのユニットフレームは幅方向両端に上記受け部に係合する係合部材を有し、
上記受け部に係合した上記係合部材は、保持具によって上記受け部から浮き上るのが阻止されることが好ましい。
【発明の効果】
【００１０】
この発明によれば、床板ユニットによるリクライニング機能を有するとともに、収納ユニットによる収納機能を有するから、リクライニングベッド装置の付加価値が高まり、販売促進効果を期待することができる。
【発明を実施するための最良の形態】
【００１１】
以下、この発明の実施の形態を図面を参照して説明する。  
図１乃至図７はこの発明の第１の実施の形態を示し、図１（ａ），（ｂ）に示すこの発明のリクライニング式ベッド装置はベッドフレーム１を備えている。このベッドフレーム１は、図２に示すように所定間隔で平行に離間した一対の側板２を有し、これら側板２の長手方向一端はヘッドボード３の幅方向両端部の内面に連結されている。
【００１２】
一対の側板２の内面にはそれぞれ受け部を形成する受け桟６が長手方向の上記ヘッドボード３側に位置する一端部の約半分の長さで設けられている。一対の受け桟６には床板ユニット７が着脱可能に係合載置される。上記側板２のヘッドボード３と反対側の他端部には収納ユニット８が上記側板２に連結されて設けられている。
【００１３】
上記床板ユニット７はユニットフレーム１１を有する。このユニットフレーム１１は、図１、図３に示すように係合部を形成するアングル材からなる一対の係合部材１２の長手方向中途部が角パイプからなる連結部材１３によって連結されている。一対の係合部材１２の間隔は、上記一対の受け桟６の間隔とほぼ同じに設定されている。また、係合部材１２はＬ字状に屈曲した側を外側にして上記連結部材１３によって連結されている。
【００１４】
一対の係合部材１２の長手方向一端部の上面には図３と図４（ａ）に示すように断面円形状の短管１４が固着されている。この短管１４には図４（ａ）に示すように第１の軸受孔１５が穿設された第１の軸受部材１６が圧入保持されている。
【００１５】
一対の軸受部材１６には回転軸１７が回転可能に支持される。この回転軸１７は円筒状をなしていて、両端部には第２の軸受孔１８が形成された第２の軸受部材１９が圧入固定されている。第２の軸受孔１８は第２の軸受部材１９の一端面だけに開放しており、その開放端を軸方向外方に向けて回転軸１７に圧入されている。
【００１６】
なお、上記第１の軸受部材１６と第２の軸受部材１９はたとえば滑沢性を有する合成樹脂などによって形成されている。  
上記第１の軸受孔１５と上記第２の軸受孔１８とには頭部２１ａ付きの支軸２１が頭部２１ａを第１の軸受部材１６側にして挿入される。それによって、上記回転軸１７は上記支軸２１によって回転可能に支持されている。
【００１７】
図１（ａ），（ｂ）に示すように、上記連結部材１３の中途部には第１のブラケット２２が固着されている。上記回転軸１７の中途部には第２のブラケット２３が固着されている。第１のブラケット２２には、駆動機構２４を構成する駆動源２５が枢着されている。この駆動源２５には固定筒２６が連結されている。
【００１８】
上記駆動源２５は、詳細は図示しないがモータと減速機とが一体化されていて、上記固定筒２６には上記減速機の回転出力によって軸方向に進退駆動される可動軸２７が設けられている。この可動軸２７の先端は上記回転軸１７に設けられた第２のブラケット２３に枢着されている。それによって、上記駆動機構２４が作動して上記可動軸２７が軸方向に進退駆動されれば、上記回転軸１７が正転方向或いは逆転方向に回転駆動される。
【００１９】
図３に示すように上記回転軸１７の軸方向両端部には一対の保持部材２８の基端が固着されている。この保持部材２８は一側面が全長にわたって開放した断面コ字状をなしていて、開放した側面を対向させて上記回転軸１７の両端部に基端が固着されている。一対の保持部材２８には可動床板３１が幅方向両端部をスライド可能に係合させて保持されている。  
なお、図１に示すように一対の保持部材２８の長手方向中途部下面は帯板状の連結部材３２によって連結されている。
【００２０】
そして、上記構成の床板ユニット７は、一対の係合部材１２を受け桟６に係合させて上記ベッドフレーム１に着脱可能に保持されている。図４に示すように、上記係合部材１２の長手方向中途部にはねじ孔３３が形成されている。このねじ孔３３には上記受け桟６の下面に係合する保持具としての振れ止めねじ３４が螺合される。
【００２１】
それによって、可動床板３１を起上させたときに、この可動床板３１に加わる荷重が幅方向に対して片寄っていても、床板ユニット７が幅方向の一方の端部が受け桟６から浮き上るのが防止される。
【００２２】
なお、床板ユニット７には、図１（ａ）に鎖線で示すように、上記連結部材１３に設けられた第３のブラケット３７と、可動床板３１を保持した一対の保持部材２８の一方との間にガススプリング３８を設けるようにしてもよい。それによって、可動床板３１を駆動機構２４によって起上方向に駆動するときにはガススプリング３８の付勢力が加わるから、その起上を円滑に行なうことが可能となり、倒伏方向に駆動するときにはガススプリング３８の反発力によって緩やかに倒伏させることが可能となる。
【００２３】
上記収納ユニット８は、図５に示すように上記ベッドフレーム１の側板２と同じ高さ寸法の箱状体３５を有する。この箱状体３５は、底板３５ａ、上面板３５ｂ及び３枚の側板３５ｃ〜３５ｅによって１つの側面に出し入れ口３５ｆが形成された箱形状に形成されている。
【００２４】
上記出し入れ口３５ｆの幅方向両端に位置する一対の側板３５ｃ，３５ｄは底板３５ａ及び上面板３５ｂの長さ寸法よりも短く形成されていて、これら側板３５ｃ，３５ｄの一端と残りの側板３５ｅとの間には間隙３６（一方のみ図示）が形成されている。
【００２５】
上記箱状体３５の一対の側板３５ｃ，３５ｄはベッドフレーム１の側板２に取り付け固定される。つまり、一対の側板２の他端部内面にはそれぞれＬ字状の連結具３７が一辺をねじ３８ａによって取り付け固定されている。この連結具３７の他辺は上記箱状体３５の間隙３６から内部に挿入されている。
【００２６】
箱状体３５の上面板３５ｂの上記間隙３６に対応する部分からは、上記連結具３７の他辺にねじ３８ｂが捩じ込まれる。それによって、箱状体３５の幅方向両側の一端部と上記側板２とが連結固定される。
【００２７】
箱状体３５の側板３５ｃ、３５ｄの出し入れ口３５ｄ側に位置する端部はこれら側板の側面から上記ベッドフレーム１の側板２に螺合されるねじ３８ｃによって固定される。それによって、上記収納ユニット８の箱状体３５はベッドフレーム１に一体的に設けられている。
【００２８】
上記箱状体３５内には、その出し入れ口３５ｆから搬送体４１が出し入れ可能に収容される。この搬送体４１は上記箱状体３５の出し入れ口３６ｆが形成された一側面を覆う大きさに形成された端板４２を有し、この端板４２の内面の幅方向両端部には一対の側部材４３の一端が連結固定されている。一対の側部材４３の他端は横部材４４によって連結され、中途部は補強部材４５によって連結されている。
【００２９】
一対の側部材４３の外面には全長にわたってガイド溝４６が形成されている。このガイド溝４６は図７（ｂ）に示すように端板４２側の端部が上方に向かってわずかに屈曲した屈曲部４６ａに形成されている。
【００３０】
図７（ａ）に示すように、上記箱状体３５の一対の側板３５ｃ、３５ｄの内面には上記ガイド溝４６に係合するそれぞれ一対のローラ４７が設けられている。それによって、上記搬送体４１は上記箱状体３５に出し入れ可能に設けられる。
【００３１】
上記搬送体４１を箱状体３５に収容し、ガイド溝４６の屈曲した先端部の屈曲部４６ａにローラ４７が位置すると、ローラ４７とガイド溝４６との摩擦力が増大する。それによって、箱状体３５に収容された上記搬送体４１が箱状体３５からずれ出てくるのを防止することができるようになっている。
【００３２】
上記搬送体４１には上面が開放した箱形状の一対の収納ケース４８がこの搬送体４１の出し入れ方向に並んで載置される。各収納ケース４８には衣類などの図示しない小物類が収容される。
【００３３】
図７（ａ）及び図２に示すように、上記箱状体３５の底板３５ａの前端部の幅方向一端部には係止ピン４９が立設されている。上記搬送体４１を箱状体３５から所定量引き出したときに、この搬送体４１に設けられた補強部材４５が上記係止ピン４９に係合する。それによって、搬送体４１の最大引き出し量が決定される。
【００３４】
図１（ｂ）に示すように、上記床板ユニット７の可動床板３１がほぼ水平に倒伏したとき、この可動床板３１の上面は上記箱状体３５の上面板３５ｂと同じ高さになる。そして、これら可動床板３１と箱状体３５との上面には同図に鎖線で示すマットレス５０が載置される。このマットレス５０は、上記可動床板３１を起上させれば、その起上角度に応じて屈曲可能な構成となっている。
【００３５】
このような構成のリクライニング式ベッド装置によれば、ベッドフレーム１の長手方向一端部には床板ユニット７が設けられ、この床板ユニット７の可動床板３１は駆動機構２４によって起伏駆動させることができる。
【００３６】
したがって、可動床板３１を起上させれば、マットレス５０上に仰臥した利用者は上半身を起こした姿勢を維持することができる。つまり、床板ユニット７はリクライニング機能を備えているから、利用者は読書をしたり、テレビを見るときなどに上半身を起こした姿勢を楽に維持することができる。
【００３７】
上記床板ユニット７の一対の係合部材１２には、この係合部材１２が係合した受け桟６の下面に係合する振れ止めねじ３４が設けられている。そのため、利用者が上半身を起こした状態で身体を横方向に移動させるなどして、起上した可動床板３１の幅方向の一端部だけに荷重を加えるようなことがあっても、ユニットフレーム１１の幅方向他端部がベッドフレーム１から浮き上るのが上記振れ止めねじ３４によって規制される。したがって、背上げ時に、床板ユニット７を左右方向にガタ付くことなく、安定した状態で使用することができる。
【００３８】
一方、ベッドフレーム１の長手方向他端部には収納ユニット８が設けられている。この収納ユニット８は箱状体３５を有し、この箱状体３５には一対の収納ケース４８が載置された搬送体４１が出し入れ可能に収容されている。そのため、上記収納ケース４８に衣類などの小物類を収納することができる。
【００３９】
つまり、ベッドフレーム１に収納ユニット８を設けることで、小物類などを収納する収納機能を備えることができるから、単にリクライニング機能だけを有するリクライニング式ベッド装置に比べて付加価値を高めることができる。
【００４０】
図８（ａ），（ｂ）はこの発明の他の実施の形態を示すベッドフレーム１の平面図である。この実施の形態ではベッドフレーム１に設けられる収納ユニット８の箱状体３５の向きが上記一実施の形態と異なっている。つまり、箱状体３５は、開放した一側面の出し入れ口３５ｆがベッドフレーム１の幅方向の一側に向けて設けられている。
【００４１】
ベッドフレーム１の一対の側板２のうち、出し入れ口３５ｆ側に位置する一方の側板２は箱状体３５の分だけ短く形成され、その末端は上記箱状体３５の側板３５ｄの一端部にＬ字金具５５によって連結されている。上記側板３５ｄの他端部は、上記ベッドフレーム１の他方の側板２の中途部に、同じくＬ字金具５５によって連結されている。図８（ｂ）は箱状体３５と、長さ寸法の短い側板２とを連結したＬ字金具５５を示す。
【００４２】
なお、上記ベッドフレーム１には図示しないが、上記一実施の形態と同様、床板ユニットが設けられる。
【００４３】
このような構成のリクライニング式ベッド装置によれば、収納ユニット８の収納ケース４８（図５に示す）が載置される搬送体４１を、ベッドフレーム１の側方へ引き出すことができる。そのため、設置場所などの条件によって、ベッドフレーム１の後方に上記搬送体４１を引き出すことができるスペースを確保できず、側方だけにしかスペースが確保できない場合であっても、リクライニング機能とともに、収納機能を有するリクライニング式ベッド装置として使用することが可能となる。
【図面の簡単な説明】
【００４４】
【図１】（ａ）はこの発明の一実施の形態を示すリクライニング式ベッド装置の可動床板を起上させた側面図、（ｂ）は可動床板を倒伏させた側面図。
【図２】ベッドフレームの平面図。
【図３】床板ユニットの斜視図。
【図４】（ａ）は床板ユニットの回転軸の取り付け構造を示す断面図、（ｂ）はベッドフレームの受け桟に係合した床板ユニットの係合部材を示す断面図。
【図５】収納ユニットの分解斜視図。
【図６】収納ユニットの箱状体及びこの箱状体に収容された搬送体と収納ケースの縦断面図。
【図７】（ａ）は搬送体を取り外した箱状体の断面図、（ｂ）は搬送体が収容された箱状体の断面図、（ｃ）は端板を取り外した搬送体の側面図、（ｄ）は搬送体の側部材を示す正面図。
【図８】この発明の他の実施の形態を示し、（ａ）はベッドフレームの平面図、（ｂ）は箱状体と側板との連結部分の平面図。
【符号の説明】
【００４５】
１…ベッドフレーム、３…ヘッドボード、６…受け桟（受け部）、７…床板ユニット、８…収納ユニット、１１…ユニットフレーム、１７…回転軸、２４…駆動機構、３１…可動床板、３４…振れ止めねじ（保持具）、３５…箱状体、４１…搬送体、４８…収納ケース、３４…保持具。
【図１】
2006043352.tif 000003
【図２】
2006043352.tif 000004
【図３】
2006043352.tif 000005
【図４】
2006043352.tif 000006
【図５】
2006043352.tif 000007
【図６】
2006043352.tif 000008
【図７】
2006043352.tif 000009
【図８】
2006043352.tif 000010